(57)【要約】【課題】  極めてシンプルな構造で、初期コスト、運用コストを抑えることができ、複数空間の個別アリーナとして利用することも１つの大空間アリーナとして利用することもできるアリーナを提供する。併せて、集客規模に合わせて増築、減築が容易となるアリーナを提供する。【解決手段】  アリーナ１は、単一フレーム２を一方向に連続して配設した構成で、屋根を含む建屋と観客席部とがそれぞれ依存せずに自立した構成である。アリーナ１は、個別アリーナ棟３，４を並べた構成であり、間の壁を収納可能な可動式間仕切りとし、可動式間仕切り側に配置される観客席を可動式にした。【選択図】図１
2018172934.tif 000002
【特許請求の範囲】
【請求項１】
略矩形のフィールド部と、該フィールド部を囲むように配置された階段状の観客席部と、屋根を含む建屋を支えるフレーム部を備えたアリーナであって、
前記フレーム部は、同一形状の単位フレームを一方向に所定間隔で連続して配設した構成であることを特徴とするアリーナ。
【請求項２】
前記アリーナは、より小規模なサイズの個別アリーナ棟を複数並べた構成であり、隣接する個別アリーナ棟間の壁を、可動式間仕切としてこれを別途設けた収納部に収納可能とし、
前記観客席部の前記可動式間仕切に隣接して設けられた部分を可動式観客席として、建屋の長手方向に一定距離移動してブロック単位で反対向きとなって、より一体化した大規模フィールド部を臨むように配置できる構成であることを特徴とする請求項１に記載のアリーナ。
【請求項３】
前記アリーナは、外壁としてパネル式を採用したことを特徴とする請求項１又は２に記載のアリーナ。
【請求項４】
同一形状の単位フレームが一方向に所定間隔で連続して基礎の上に複数配設された構成のフレーム部と、
該フレーム部の内側に、フレーム部とは独立して基礎に配設された固定式観客席部と、用途に合わせて移動可能に構成された可動式観客席部と、
を含むことを特徴とするアリーナ。
【請求項５】
アリーナの土台となる基礎を製作する基礎工事工程と、
製作された基礎の上に単位フレームを組み立てて一方向に所定の間隔で配設しフレーム部を構築する建方工事工程と、
前記構築されたフレーム部に外壁及び屋根板を取り付ける外装工事工程と、
外装工事の後、座席架台を組み立てて、前記基礎に固定する内装工事工程と、
を含むことを特徴とするアリーナの施工方法。
【請求項６】
アリーナの土台となる基礎を製作する基礎工事工程と、
製作された基礎の上に単位フレームを組み立てて一方向に所定の間隔で配設しフレーム部を構築する建方工事工程と、
前記フレーム部のうちの所定の単位フレームに間仕切りを設けて、複数の個別アリーナを形成する工程と、
を含むことを特徴とするアリーナの施工方法。
【発明の詳細な説明】
【技術分野】
【０００１】
本発明は、アリーナ及びアリーナの施工方法に関する。
【背景技術】
【０００２】
近年、スポーツ観戦、コンサート、展示会など多目的に使うイベント会場として、数千人〜数万人規模の観客を収容できるアリーナが各地に建設されている。アリーナは、バスケットボールなどのスポーツやコンサートが実際に行われるフィールド部（床部，アリーナコートなどともいう）と、そのフィールド部を取り囲むように設置された階段式の観客席を備えている。アリーナの建物全体を上から俯瞰した時の形状は、略円形や楕円形を含めてさまざまなものがある。アリーナは、それぞれの事情に合わせて独自に設計されていて、汎用的な構成のものは見当たらない。
【０００３】
多目的に使うアリーナでは、イベントの種類や規模に応じて、観客席の数や配置、フィールド部の面積、屋根の高さなどを変更できるようにすることが提案されている。
【０００４】
たとえば、特許文献１では、空間量可変の多目的つり屋根アリーナの構造が提案されている。特許文献２では、昇降および進退方式のスライドスタンドを持つアリーナが提案されている。特許文献３では、多目的アリーナを備えた建物の天井構造が提案されている。
【先行技術文献】
【特許文献】
【０００５】
【特許文献１】特開平７−３１０４４８号公報
【特許文献２】特開平８−２６０７３６号公報
【特許文献３】特開平９−１１９２２９号公報
【発明の概要】
【発明が解決しようとする課題】
【０００６】
しかし、上記提案されているアリーナの構造では、１つの大規模アリーナの使用空間量を多少変更することはできるが、同時に使用できるアリーナが複数になるわけではない。また、構造が複雑であり、初期コストも運用コストも大きい。たとえば１万人の観客を収容できる大規模なアリーナを建設したとしても、実際に１万人を集客できるイベントを開催するのは年に２〜３回程度のことであり、それ以外の期間は、３千人とか５千人程度で事足りることが多い。それでは設備が有効利用されず、空調などの維持費がかさんでコスト高になる。
【０００７】
そこで、本発明が解決しようとする課題は、極めてシンプルな構造で、初期コスト、運用コストを抑えることができるアリーナを提供することである。また、複数空間のアリーナとして利用することも１つの大空間アリーナとして利用することもできるアリーナをも提供することである。併せて、集客規模に合わせて増築、減築が容易となるアリーナをも提供することである。
【課題を解決するための手段】
【０００８】
上記課題を解決するため、本発明の一態様によるアリーナは、略矩形のフィールド部と、該フィールド部を囲むように配置された階段状の観客席部と、屋根を含む建屋を支えるフレーム部を備えたアリーナであって、前記フレーム部は、同一形状の単位フレームを一方向に所定間隔で連続して配設した構成であることを特徴とする。
【０００９】
このように、本発明の一態様によるアリーナは、同一形状の単位フレームを一方向に所定間隔で連続して配設するという、極めてシンプルなフレーム構成を採用している。したがって、アリーナ全体を上から見たときの構造は、略長方形となる。シンプルな構成であるから、部材の調達も施工も容易であり、初期コストを抑えることができる。シンプルな構成であっても必要な機能と強度は確保できる。
【００１０】
また、本発明の一態様によるアリーナは、より小規模なサイズの個別アリーナ棟を複数並べた構成としてもよい。この場合、隣接する個別アリーナ棟間の壁を、可動式間仕切としてこれを別途設けた収納部に収納可能とし、建屋の短手方向の観客席の一部を可動式観客席として、建屋の長手方向に一定距離移動してブロック単位で反対向きとなって固定するように構成すればよい。そうすることで、複数の個別アリーナを一体化した大規模アリーナとして使用することができる。大イベントがない通常時には、個別利用できるので、無駄が少なく、経済的である。
【００１１】
また、本発明の一態様によるアリーナは、上記のようなフレーム構成を採用しているので、建屋の長手方向に単位フレームをさらに配設することで増築が容易であり、逆に減築も容易である。最初から大きなアリーナを建設するという必要がなく、実情に応じた規模で建設し、実情に応じて増設したり減築したりできるので、初期コスト・運用コストを抑えることができる。
【００１２】
また、本発明の一態様によるアリーナの施工方法は、アリーナの土台となる基礎を製作する基礎工事工程と、製作された基礎の上に単位フレームを組み立て一方向に所定の間隔で配設しフレームを構築する建方工事工程と、前記構築されたフレームにパネル式外壁及び屋根板を取り付ける外装工事工程と、外装工事の後、座席架台を組み立てて、前記基礎に固定する内装工事工程と、を含むことを特徴とする。
また、本発明の一態様によるアリーナの施工方法は、アリーナの土台となる基礎を製作する基礎工事工程と、製作された基礎の上に単位フレームを組み立てて一方向に所定の間隔で配設しフレーム部を構築する建方工事工程と、前記フレーム部のうちの所定の単位フレームに間仕切りを設けて、複数の個別アリーナを形成する工程と、を含むことを特徴とする。
【発明の効果】
【００１３】
本発明によれば、シンプルな構造で、初期コスト、運用コストを抑えることができるアリーナを提供することができる。同時に複数のイベントを開催できる複数空間のアリーナを提供することができ、１つの大空間アリーナとして利用することもできるアリーナを提供することができる。さらに、建屋の長手方向に単位フレームをさらに配設することで増築が容易であり、逆に減築も容易である。また、フレームは再利用できるので、移築も可能である。
【図面の簡単な説明】
【００１４】
【図１】図１は、本発明の一実施形態によるアリーナの建物全体のフレーム部の概略を示した俯瞰図である。
【図２】図２は、フレーム部を構成する単位フレームの一例を模式的に示した図である。
【図３】図３は、本発明の一実施形態によるアリーナを２つの別空間のアリーナとして個別使用する場合の平面形状を模式的に示した図である。
【図４】図４は、図３のＸ−Ｘ線断面図であり、個別使用時の断面を模式的に示す図である。
【図５】図５は、図３のＹ−Ｙ線断面図であり、本発明の一実施形態によるアリーナの短手方向の断面形状を模式的に示した図である。
【図６】図６は、本発明の一実施形態によるアリーナを１つの空間のアリーナとして一体使用する場合の平面形状を模式的に示した図である。
【図７】図７は、図６のＸ−Ｘ線断面図であり、一体使用時の断面を模式的に示す図である。
【図８】図８は、本発明の一実施形態によるアリーナを２つの空間のアリーナから１つの大空間アリーナとして使用する場合の移行方法の一例を説明するための平面形状を模式的に示した図である。
【図９】図９は、図８のＸ−Ｘ線断面図である。
【図１０】図１０は、図８のＩＸ−ＩＸ線断面図である。
【図１１】図１１は、本発明の一実施形態によるアリーナの建設工程の概略を示すフローチャートである。
【図１２】図１２は本発明のアリーナを増築する場合を説明する概略図である。
【発明を実施するための形態】
【００１５】
以下、本発明の一実施形態によるアリーナ１について図面を参照して説明する。このアリーナ１は、一例として、5,000人規模のアリーナ棟３，４を横に並べた構成であり、それぞれ個別アリーナとして使用できる他、全体として１万人規模のアリーナとして一体利用することもできる施設である。
【００１６】
図１は、本発明の一実施形態によるアリーナの建物全体のフレーム部の概略を示した俯瞰図であり、図２は、フレーム部を構成する単位フレームの一例を模式的に示した図である。図１において、単位フレームの奥行きなどの詳細は省略している。
図１及び図２に示すように、アリーナ１は、同一形状の単位フレーム２が、複数個、アリーナ１の長手方向に連続して配設された極めてシンプルなフレーム構造を有している。フレーム構造に屋根や壁が固定されて建屋となる。トイレ，事務室，空調設備等の付帯設備（図示せず）、及び観客席は、建屋には固定されず、それぞれが自立する構造となっている。
【００１７】
アリーナ１の短辺の長さ、すなわち、単位フレーム２の２本の柱部分の間隔は、たとえば８０メートルである。これは、建築基準を満たしかつ経済的に構築できる長さを考慮したものである。アリーナ棟３及びアリーナ棟４の短辺の長さは、たとえば５０メートルである。これは、１棟を5,000人規模としたこと等を考慮したもので、一例である。また、図１ではアリーナ棟３及びアリーナ棟４を構成する単位フレーム２の個数は６であるが、図面上模式的に示したものであり、この個数は、構造設計において適宜定められる。
【００１８】
単位フレーム２は、図２に示すように、鉛直方向の柱と山形屋根を支える斜辺部分とが一体化されたシンプルな構造である。単位フレーム２としては、例えばＨ形鋼などの鉄骨部材をクレーンで吊り上げてボルト止めして組み立てていくもので、必要な強度と機能を確保できるように用意したものを用いる。これにより、一定の品質を保ちつつコストを抑えることができる。
【００１９】
このように、本発明の一態様によるアリーナ１は、同一形状の単位フレームを一方向に所定間隔で連続して配設するという、シンプルなフレーム構成を採用している。したがって、アリーナ全体を上から見たときの構造は、略長方形となり、アリーナとしては一般的でない形である。しかし、シンプルな構成であるから、部材の調達も施工も容易であり、初期コストを抑えることができる。シンプルな構成であっても必要な機能と強度は確保できる。
【００２０】
次に、本発明の一実施形態によるアリーナ１を２つの別空間のアリーナとして個別使用する場合について説明する。図３は、個別使用時の平面形状を模式的に示した図である。図４は、図３のＸ−Ｘ線断面図であり、個別使用時のアリーナ１の長手方向断面を模式的に示す図である。図５は、図３のＹ−Ｙ線断面図であり、本発明の一実施形態によるアリーナ１の短手方向の断面形状を模式的に示した図である。
【００２１】
図３〜図５に示すように、アリーナ１は、ほぼ半分の大きさのアリーナ棟３とアリーナ棟４に分かれており、別個に使用することができる。個別アリーナ棟３には、略矩形のフィールド部を囲むように、かつ、外側に向かって高くなる階段状の観客席が複数設けられている。これら観客席のうち、隣接するアリーナ棟４側に位置する客席ブロックＡ，Ｂ，Ｃは、可動式観客席である。個別アリーナ棟４も同様であり、隣接するアリーナ棟３側に位置する客席ブロックＤ，Ｅ，Ｆは、可動式観客席である。Ａ〜Ｆ以外の部分の観客席は、固定式である。可動式観客席の仕組みは問わないが、例えば、底部に小さな車輪（キャスター）の付いた客席ブロックを用いることができる。
【００２２】
固定式観客席ブロックは、フレーム２や壁とは独立に、基礎に固定されている。すなわち、観客席は、屋根、フレーム２、壁などの建屋に依存せずに自立する構成を採用している。アリーナとして使用するために必要な、トイレ、事務室などの付帯設備も図示を省略しているが、建屋に依存せずに自立する構成を採用している。なお、図面では、扉や照明、空調などは省略している。
【００２３】
２つのアリーナ棟３，４の境の壁は、少し間隔を置いて配置された２枚の可動式間仕切り板ＭＷである。可動式間仕切り板ＭＷは、図４に示すように、上部から吊り下げられる方式で固定されている。可動式間仕切り板ＭＷをどこにどのように吊り下げるかは、特に限定しないが、例えば、アリーナ棟３，４の境に位置する２つの単位フレーム２に、水平方向の梁若しくはレールを設け、その梁若しくはレールに左右方向に移動可能となるように吊るす構成が挙げられる。
【００２４】
アリーナ１の長辺外側の中央部には、すなわち、個別アリーナ棟３，４の境目近傍の外側には、一体使用時に可動式間仕切り板ＭＷを収納するための間仕切り板収納部５が設けられている。可動式間仕切り板ＭＷは、間仕切りとして使用しないときは、分解され、または、折り畳まれて、間仕切り板収納部５に収納される。
なお、フィールド部としては、展示会利用の際など、特段の床が必要ない場合には、スラブのままであるが、スポーツが行われる場合には、バスケットボールなどの競技の種類に応じて必要な床が配設される。
【００２５】
次に、本発明の一実施形態によるアリーナ１を１つの大空間アリーナとして一体使用する場合について説明する。図６は、一体使用時のアリーナ１の平面形状を模式的に示した図である。図７は、図６のＸ−Ｘ線断面図であり、一体利用時の断面を模式的に示す図である。
図６及び図７に示すように、一体使用時には、２つのアリーナ空間３，４を仕切っていた可動式間仕切り板ＭＷは、間仕切り板収納部５に収納されている。可動式観客席ブロックＡ，Ｂ，Ｃ及び、Ｄ，Ｅ，Ｆは、図６に示すように、それぞれ、１つの大きなフィールド部を臨める位置、かつ、固定式観客席よりも内側に配置されている。可動式観客席ブロックＡ，Ｂ，Ｃ及び、Ｄ，Ｅ，Ｆは、図７に示すように、固定式観客席よりも少し低くなるように構成されている。このような構成を採用しているので、アリーナ１は、１つの大きなフィールド部を有する大空間アリーナとして使用することができる。
【００２６】
次に、アリーナ１を２つの別空間のアリーナ３，４から１つの大空間アリーナとして使用する場合の移行方法の一例について図８〜図１０を参照して説明する。図８〜図１０は、アリーナ１を２つの別空間のアリーナから１つの大空間アリーナとして使用する場合の移行方法を説明するための図であり、図８は平面形状を模式的に示した図、図９は図８のＸ−Ｘ線断面図、図１０は図８のＩＸ−ＩＸ断面図である。
【００２７】
図８〜図１０に示す通り、可動式観客席ブロックＡ，Ｂ，Ｃ及び、Ｄ，Ｅ，Ｆは、ブロックごとに回転しながら外側に移動する。可動式間仕切り板ＭＷは、両側に移動しながら間仕切り板収納部５に収納される。このような構成を採っているので、アリーナ１は、２つのアリーナ棟３，４が並んだ構成であっても、１つの大空間アリーナとして使用することができる。
【００２８】
次に、本発明の一実施形態であるアリーナ１の施工方法を、図１１を用いて簡単に説明する。本発明に関係のない細部は省略している。
まず、基礎工事を行う（ステップ１（Ｓ１））。基礎は、アリーナ１を建てる土台となるものである。基礎の材料としては、たとえば、鉄筋とコンクリートを用いることができる。
続いて、建方工事を行う（ステップ２（Ｓ２））。この建方工事では、基礎工事で造られた基礎の上に、フレーム部材である鉄骨をクレーンで吊り上げて、単位フレーム２を組み立てて適宜ボルト止めするなどして固定し、図１に示すアリーナ１のフレーム構造を造り上げていく。すなわち、基礎工事で造られた基礎の上に、所定間隔で、所定の長さ分、複数の単位フレーム２を順次（連続して）配設する。
このとき、図１及び図３に示すように、アリーナ１の長手方向の中央付近、すなわち、アリーナ棟３とアリーナ棟４との境になる位置には、間仕切りを設けるため、他の部分に比べて短い間隔で単位フレーム２を２つ配設する。以上により、図１に示すアリーナ１のフレーム構造（フレーム部）が完成する。なお、中央の２つの単位フレーム２には、後の内装工事工程若しくはこの工程で、水平方向に梁またはレールを設けるなどして、可動式間仕切り板ＭＷを吊り下げられるようにする。
【００２９】
続いて、外装工事を行う（ステップ３（Ｓ３））。外装工事では、建方工事で組み立てられたフレーム部に、外壁及び屋根板を取り付け、図３に示すように可動式間仕切り板収納部５も設けて、建物の外装を完成させる。ここで、外壁としてパネル式を採用すると良い。パネル式外壁を採用することで、工期を短縮することができ、コストダウンすることができる。
続いて、内装工事を行う（ステップ４（Ｓ４））。内装工事では、アリーナの内部に配設される観客席の土台となる座席架台を組み立てていく。座席架台としては、鉄骨を用いることができる。固定式観客席ブロックの座席架台は、基礎の上に組み立てて固定し、可動式観客席ブロックは固定せずに所定位置に配置する。本発明のアリーナでは、外部のフレームと内部の座席架台がそれぞれ独立した構造であるため、このような施工順序となる。なお、可動式間仕切り板ＭＷも、この内装工事のステップで設ける。
【００３０】
次に、本発明の他の実施形態として、同規模のアリーナ棟を複数並べるのではなく、最初は、実情に合わせた妥当な規模、例えば5,000人規模のアリーナとして構築し、その後営業状況を見ながら、徐々に7,000人規模、１万人規模と増築していくアリーナの例について図１２を参照して説明する。
【００３１】
図１２に示すように、最初は5,000人規模のアリーナとして、図１のアリーナ１の半分のサイズで構築する。サイズが異なるだけで、構造、施工方法は、先の実施形態と同様である。そして、その後の営業状況が良く、7,000人規模に増築したいとなったときに、その土地の空き状況に合わせて、増築できる方向に単位フレームを必要数、所定間隔で基礎の上に配設していく。その際、増築する側の壁は、一旦取り壊すことになるが、外壁はパネル式なので、取り壊しも取り付けも容易である。基礎に固定した固定式観客席ブロックは、座席架台と共に一旦取り外して移動し、また固定することとなるが、これも比較的容易にできる。１万人規模に増築するときも同様である。
逆に、大人数の集客が望めない状況となり減築する必要が出てきた際には、外壁パネルをフレームから取り外し、減築するサイズに合わせて単位フレームを取り外し、新たに外壁パネルをフレームに取り付ければよい。
【００３２】
以上説明したように、本発明によれば、初期コスト・運用コストを圧縮することができる。また、単位フレーム２や外壁パネル等の主要部材の再利用・移設も可能であり、フレキシビリティが高い。規模に合わせて、たとえば3,000人用、5,000人用，7000人用，1万人用というように増築したり、逆に減築したりすることも容易である。本発明によれば、事情に合わせた規模で短期間に建設でき、初期コスト・運用コストも抑えることができる。
【産業上の利用可能性】
【００３３】
本発明によれば、初期コスト・運用コストを圧縮することができ、増築・減築が容易なので、資金が比較的少ない事業主体でもアリーナを建設できる。また、数年後に取り壊す前提で構築する期間限定のテーマパークやオリンピック施設としてのアリーナにも本発明を利用することができる。
【符号の説明】
【００３４】
１  …  アリーナ
２  …  単位フレーム
３  …  個別アリーナ棟
４  …  個別アリーナ棟
５  …  間仕切り板収納部
Ａ，Ｂ，Ｃ  …  可動式客席ブロック
Ｄ，Ｅ，Ｆ  …  可動式客席ブロック
ＭＷ  …  可動式間仕切り板
【図１】
2018172934.tif 000003
【図２】
2018172934.tif 000004
【図３】
2018172934.tif 000005
【図４】
2018172934.tif 000006
【図５】
2018172934.tif 000007
【図６】
2018172934.tif 000008
【図７】
2018172934.tif 000009
【図８】
2018172934.tif 000010
【図９】
2018172934.tif 000011
【図１０】
2018172934.tif 000012
【図１１】
2018172934.tif 000013
【図１２】
2018172934.tif 000014
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
略矩形のフィールド部と、該フィールド部を囲むように配置された階段状の観客席部と、屋根を含む建屋を支えるフレーム部を備えたアリーナであって、
前記フレーム部は、同一形状の単位フレームを一方向に所定間隔で連続して配設した構成であり、
前記アリーナは、より小規模なサイズの個別アリーナ棟を複数並べた構成であり、隣接する個別アリーナ棟間の壁を、可動式間仕切としてこれを別途設けた収納部に収納可能とし、
前記観客席部のうち前記可動式間仕切に隣接して設けられた部分を可動式観客席部として、該可動式観客席部は、前記アリーナの建屋の長手方向に一定距離移動してブロック単位で反対向きとなって、一体化した大規模フィールド部を臨むように配置できる構成であることを特徴とするアリーナ。
【請求項２】
前記観客席部のうち可動式観客席でない部分（固定式観客席部）は、前記フレーム部の内側に、フレーム部とは独立して基礎に配設されている
ことを特徴とする請求項１に記載のアリーナ。
【手続補正２】
【補正対象書類名】明細書
【補正対象項目名】００１０
【補正方法】変更
【補正の内容】
【００１０】
また、本発明の一態様によるアリーナは、より小規模なサイズの個別アリーナ棟を複数並べた構成としてもよい。この場合、隣接する個別アリーナ棟間の壁を、可動式間仕切としてこれを別途設けた収納部に収納可能とし、建屋の短手方向の観客席の一部を可動式観客席として、アリーナの建屋の長手方向に一定距離移動してブロック単位で反対向きとなって、一体化した大規模フィールド部を臨むように構成すればよい。そうすることで、複数の個別アリーナを一体化した大規模アリーナとして使用することができる。大イベントがない通常時には、個別利用できるので、無駄が少なく、経済的である。